(57)【特許請求の範囲】
【請求項１】
プラスチック製フィルム又はシートの周辺部をシールして内部に液体収納部を形成し且つ一部分に液体注出用ノズルを形成した液体収納容器において、前記ノズルは、その先端部に切断によって形成される注出口部と、前記注出口部から前記ノズルの根元部１３までは略同じ幅を有し前記ノズル根元部付近から前記液体収容部側基部に向けて徐々に幅を狭めた凸エンボスを有し、前記凸エンボス１５と第1折り線１７で区別される状態で前記凸エンボス１５の両側には、前記ノズルの根元部１３から前記凸エンボス１５の前記液体収容部側基部１４にかけて徐々に幅を狭めた平面状のすそ野エンボス部１６が第２折り線１８を谷として周辺部と区別されるように形成され、前記両側のすそ野エンボス部１６に沿う前記第２折り線１８は前記基部１４で曲線をなし、前記すそ野エンボス部１６は凸エンボス１５に向かって登り傾斜をなし、前記凸エンボス１５は、略平坦形状の頂上部２１を呈すると共に前記基部１４に向かってその高さが徐々に低くなっていることを特徴とするノズル付き液体収納容器。
【請求項２】
請求項１において、前記すそ野エンボス部１６の外側を略Ｖ字状に取り囲んで前記第２折り線１８の外側から前記第２折り線１８に向かって低く傾斜した段部２０を設け、前記段部２０は、左右端が前記ノズル１１の根元部１３に向かい前記すそ野エンボス部１６の広くなった付近に収斂していることを特徴とするノズル付き液体収納容器。
【発明の詳細な説明】
【０００１】
【発明の属する技術分野】
本発明は、袋状に形成したノズル付き液体収納容器に関する。
【０００２】
【従来の技術】
液体注出部付き液体収納容器の一種類として、液体洗剤、液体柔軟剤、液体石鹸等の詰め替え用内容物に使用される袋状柔軟性包装体（パウチ）が数々市場に提供されている。そのなかで、スタンディングパウチにおいて、詰め替え時の注ぎ易さを改良した技術として、特開２０００−１７７７５６号がある。
【０００３】
これは、プラスチックフィルムをヒートシールして形成したノズル部を有する注出機能付き包装袋において、ノズル部に膨らみ部５を設け、ノズル部５の両側の下端部、或いはその近傍から包装袋の内方に向かう第１谷折り線６を設け、第１谷折り線６の交点或いはその近傍から下方に第２谷折り線７を設けると共に、第２谷折り線７の両側に山折り線８を設けた構成である。
【０００４】
【発明が解決しようとする課題】
これはそれ以前のものからすれば、ノズル部の開口状態の改善は見られるが、ノズル部の開口を十分に保つという観点から、第１谷折り線６、第２谷折り線７、山折り線８はかなり深く形成され、そうすると、包装袋のフィルムを厚くする等の改善をしなければ各折り線部分で破損が生じることになり、コストアップ等の点で問題である。また、各折り線部分での破損防止方法として、フィルムを厚くする代わりに各折り線の断面形状を半球状等の曲面形状とすることもできるが、そうすると各折り線部分が際立って目立ち、包装袋のノズル部分に皺が寄った状態に見えて見栄えが悪くなる問題がある。
【０００５】
本発明は、このような点に鑑みて、ノズル部に開口が良好に形成でき、特別に厚いプラスチック製フィルム又はシートでなくても所期の開口形状が得られるノズル部の成形ができ、外観上も良好なノズル部付き液体収納容器を提供するものである。
【０００６】
【課題を解決するための手段】
本発明は、上記課題を解決するために、プラスチック製フィルム又はシートの周辺部をシールして内部に液体収納部を形成し且つ一部分に液体注出用ノズルを形成した液体収納容器において、前記ノズルは、その先端部に切断によって形成される注出口部と、前記注出口部から前記ノズルの根元部１３までは略同じ幅を有し前記ノズル根元部付近から前記液体収容部側基部に向けて徐々に幅を狭めた凸エンボスを有し、前記凸エンボス１５と第1折り線１７で区別される状態で前記凸エンボス１５の両側には、前記ノズルの根元部１３から前記凸エンボス１５の前記液体収容部側基部１４にかけて徐々に幅を狭めた平面状のすそ野エンボス部１６が第２折り線１８を谷として周辺部と区別されるように形成され、前記両側のすそ野エンボス部１６に沿う前記第２折り線１８は前記基部１４で曲線をなし、前記すそ野エンボス部１６は凸エンボス１５に向かって登り傾斜をなし、前記凸エンボス１５は、略平坦形状の頂上部２１を呈すると共に前記基部１４に向かってその高さが徐々に低くなっていることを特徴とするものである。
【０００７】
また、本発明は、前記すそ野エンボス部１６の外側を略Ｖ字状に取り囲んで前記第２折り線１８の外側から前記第２折り線１８に向かって低く傾斜した段部２０を設け、前記段部２０は、左右端が前記ノズル１１の根元部１３に向かい前記すそ野エンボス部１６の広くなった付近に収斂していることを特徴とする。
【０００８】
【発明の実施の形態】
次に、本発明の実施の形態について説明する。各図は本発明の実施の形態を示しており、図１は一実施形態のノズル付き液体収納容器の要部拡大の説明図、図２は図１の液体収納容器に液体内容物を充填した状態の断面図、図３は図２のノズル部の拡大断面説明図、図４は他の実施形態に係るノズル付き液体収納容器の要部拡大の説明図、図５は図４の液体収納容器に液体内容物を充填した状態の断面図、図６は図５のノズル部の拡大断面説明図、図７は図１のＰ−Ｐ断面部の説明図である。
【０００９】
先ず図１乃至図３に示す実施形態の液体収納容器の代表的なものについて説明する。液体収納容器１は、その中に充填される液体内容物としては、液体洗剤、液体柔軟剤、液体石鹸、その他があり、他のボトルなどの容器へこの内容物を詰め替え用として収納する袋状柔軟性包装体（パウチ）であり、底部を下にしてテーブル等の上に立てて置くことができる、所謂スタンディングパウチと称されるものである。この液体収納容器１は、面対応に位置された一対のプラスチック製フィルム又はシートの周辺部をシールして一部分に液体注出用ノズルを形成した構成である。その具体的な構成は、面対応に位置された表面材２と裏面材３、及び底面材４を後述のように周辺部でヒートシールして袋状に構成したものであり表面材２、裏面材３及び底面材４はそれぞれ透明材、不透明材、半透明材のいずれかのプラスチック製フィルム又はシートで構成される。
【００１０】
このフィルム又はシートの構成は、例えば、外側層がナイロンフィルム、内側層が線状低密度ポリエチレンフィルムからなる二層構造のもの、また外側層が二軸延伸ナイロンフィルム、中間層が一軸延伸ポリオレフィンフィルム、内側層が線状低密度ポリオレフィンからなる三層構造のもの、また外側層がナイロンフィルム、中間層がアルミニウム真空蒸着ポリエチレンテレフタレートフィルム、内側層が線状低密度ポリエチレンフィルムからなる三層構造のもの、また、外側層が酸化アルミニウム蒸着ポリエチレンテレフタレートフィルム、中間層がナイロンフィルム、内側層が線状低密度ポリエチレンフィルムからなる三層構造のものや、また、外側層がポリエチレンテレフタレートフィルム、外側中間層がアルミニウム箔、内側中間層がナイロンフィルム、内側層が線状低密度ポリエチレンフィルムからなる四層構造等の構成である。
【００１１】
表面材２と裏面材３相互の周辺接合部５と、表面材２と裏面材３の下部と底面材４の接合部６とは、それぞれヒートシールされ、表面材２と裏面材３の間には、底部が前後に広がった内容物充填用収納部７を液体収納容器１の内部に形成している。外側層を透明とし、中間層をアルミニウム又はその他の無機化合物を真空蒸着法等の方法によって蒸着して無機化合物蒸着層を設けたバリア性フィルムとして、外観が銀色等を呈する液体収納容器１とすることもできる。
【００１２】
液体収納容器１は、プラスチック製フィルム又はシートの周辺部をシールして内部に液体収納部７を形成し且つ一部分に液体注出用ノズル１１を形成したものであり、ノズル１１は、その先端部に切断によって形成される注出口部１２と、注出口部１２からノズル１１の根元部１３までは略同じ幅を有しノズル１１の根元部１３から液体収容部７側基部１４に向けて徐々に幅を狭めた膨らみを形成する凸エンボス１５を有し、凸エンボス１５の両側には、ノズル１１の根元部１３付近から凸エンボス１５の液体収容部７側基部１４にかけて、徐々に幅を狭めた平面状のすそ野エンボス部１６を形成したものである。
【００１３】
凸エンボス１５とすそ野部１６の境は第１折り線１７で区分され、凸エンボス１５は上記のように、注出口部１２からノズル１１の根元部１３までは略同じ幅を有しノズル１１の根元部１３から液体収容部７側基部１４に向けて徐々に幅を狭めた形状を呈する。これによって、凸エンボス１５は先太り根元細り形状を呈する。また、すそ野部１６の周縁は、第２折り線１８でもってその周辺部と区別されていて、ノズル１１の根元部１３付近で広く、そこからから凸エンボス１５の液体収容部７側基部１４にかけて徐々に幅を狭めつつ凸エンボス１５に向かって登り傾斜のすそ野部１６を形成する。この第２折り線１８は罫線状のものや、僅かに盛り上がった山状又は段に形成してもよいが、幅の細い溝状に形成することによって、後述のように谷を形成するための折り曲がり性能をより一層向上させることができる。ノズル１１の中心軸方向の断面形状は図７によって示す。
【００１４】
ノズル１１は、液体収納容器１の上部辺８と側部辺９とで作られるコーナの領域内に収まるように斜め上方に突出して形成される。これはノズル１１が上部辺８と側部辺９の延長線よりも外方に突出すると、液体収納容器１を多数梱包する場合や、他の商品と共に陳列した場合に接触して邪魔になるため、そのようなことがないようにするためである。ノズル１１の先端に形成される注出口部１２は液体収納容器１の上部辺８方向から側部辺９方向にかけて斜め下方へ延びる切断可能部１０によって形成される。この切断可能部１０は、はさみで切断できるように形成してもよいが、隅部を手でもって切断するか又はノッチを手でもって切断できるように、予めミシン目をつけておく方法がある。この切断可能部１０の場所は、表面材２若しくは裏面材３に印刷表示するか、上部辺８又は側部辺９に形成した切り欠きによって示す方法等がある。
【００１５】
この構成によって、液体収容部７に液体内容物が充填された状態で、注出口部１２を形成して内容物を注出するときには、凸エンボス１５がその基部１４に向けて細くなっていることと、すそ野部１６がノズル１１の根元部１３から凸エンボス１５の液体収容部７側基部１４にかけて徐々に幅が狭まっていることによって、液体注出時には、凸エンボス１５の液体収容部７側基部１４に作用力が集中し、基部１４の周辺に一番深い谷を形成して図２のように第２折り線１８を谷とし、その谷の両側に傾斜が形成され、ノズル１１の注出口部１２が大きく開く。この作用によってノズル１１の注出口部１２がより一層開くようにするためには凸エンボス１５の形状を、図７に示すように基部１４に向かうに従ってその高さが徐々に低くなるようにすることによって、それが達成できる。
【００１６】
また、内容物の注出によって、液体収容部７の内容物が少なくなってきても、すそ野部１６の存在によって、注出口部１２付近の表面材２と裏面材３がくっつき難くなって注出口部１２が閉塞から免れ、内容物を最後まで良好に抽出することができる。また、すそ野部１６が凸エンボス１５に向かって登り傾斜であることによって、その効果が向上する。
【００１７】
また、上記の効果をより向上させるために、すそ野部１６の外側には、すそ野部１６を略Ｖ字状に取り囲んで外方に突出した段部２０を形成している。段部２０は、その左右端がノズル１１の根元部１３に向かい、すそ野部１６の広くなった付近に収斂している。この段部２０の形成によって、すそ野部１６の周縁を区画する第２折り線１８に向かって低く傾斜した略Ｖ字状の傾斜エンボス面１９がすそ野部１６の外側に形成され、第２折り線１８を明確な谷として、その両側に十分な傾斜が形成される。
【００１８】
図４乃至図６には他のノズル部付き液体収納容器の実施形態を示す。これにおいて図１乃至図３と同一機能部については同一符号を付しており、その構成及び機能は上記と同様であるため、その説明を省略する。図１乃至図３のものと異なるところは凸エンボス１５は略平坦形状の頂上部２１を呈することである。その頂上部２１の形成のために、両側に第３折り線２２を形成しており、これによって、頂上部２１の両側にはすそ野部１６に向かって、即ち、第３折り線２２に向かって急峻な下り傾斜２３が形成される。
【００１９】
このように、凸エンボス１５に略平坦形状の頂上部２１を形成することによって、注出口部１２を切断によって形成したときには、注出口部１２付近の表面材２と裏面材３には相互に離れる方向の作用力が働き、注出口部１２が開き易くなり、内容物の注出によって、液体収容部７の内容物が少なくなってきても、すそ野部１６の存在によって、注出口部１２付近の表面材２と裏面材３がくっつき難くなって注出口部１２が閉塞から免れ、内容物を最後まで良好に抽出することができる。
【００２０】
上記ノズル１１、凸エンボス１５、すそ野部１６、段部２０、各折り線等で構成される機能部分は、液体収納容器１の片側面、即ち、表面材２又は裏面材３のいずれか一方に形成することでもよいが、収容液体の注出を速やかに行うためには、液体収納容器１の両側面、即ち、表面材２と裏面材３の両方に対称的に形成することによって達成できる。
【００２１】
本発明は、上記実施形態に限定されず、本発明の技術的範囲を逸脱しない限り種種の変更が考えられ、それに係る種種の実施形態を包含するものである。
【００２２】
【発明の効果】
請求項１の発明によると、凸エンボスがその基部に向けて細くなっていることと、すそ野部がノズルの根元部から凸エンボスの液体収容部側基部にかけて徐々に幅が狭まっていることによって、凸エンボスにはその液体収容部側基部に作用力が集中し、ノズル１１が大きく開くことができると共に、内容物が少なくなってきても注出口部付近の表面材と裏面材がくっつき難くなって注出口部が閉塞から免れ、内容物を最後まで良好に抽出することができる。
【００２３】
また、請求項２の発明によると、段部の形成によって、すそ野部の周縁に向かって低く傾斜した略Ｖ字状の傾斜面が形成され、すそ野部の周縁を明確な谷としてその両側に十分な傾斜が形成されるため、凸エンボスの液体収容部側基部への作用力の集中を高め、ノズルの注出口部を大きく開くことができる。
【図面の簡単な説明】
【図１】本発明の一実施形態のノズル部付き液体収納容器の要部拡大説明図である。
【図２】図１の液体収納容器に液体内容物を充填した状態の断面図である。
【図３】図２のノズル部の拡大断面説明図である。
【図４】本発明の他の実施形態に係るノズル部付き液体収納容器の要部拡大説明図である。
【図５】図４の液体収納容器に液体内容物を充填した状態の断面図である。
【図６】図５のノズル部の拡大断面説明図である。
【図７】図１のＰ−Ｐ断面部の説明図である。
【符号の説明】
１……液体収納容器
２……表面材
３……裏面材
４……底面材
５……接合部
６……接合部
７……液体収容部
１０…切断可能部
１１…ノズル部
１２…注出口部
１３…ノズルの根元部
１４…凸エンボスの液体収容部側基部
１５…凸エンボス
１６…すそ野部
１７…第１折り線
１８…第２折り線
１９…略Ｖ字状の傾斜面
２０…段部
２１…頂上部
２２…第３折り線
２３…傾斜部
【図１】
0003932807.tif 000002
【図２】
0003932807.tif 000003
【図３】
0003932807.tif 000004
【図４】
0003932807.tif 000005
【図５】
0003932807.tif 000006
【図６】
0003932807.tif 000007
【図７】
0003932807.tif 000008